(57)【要約】      （修正有）【課題】皮膚表面に貼付した場合に皮膚呼吸を良好に行わせる施術用テープを提供する。【解決手段】人体の表皮に貼付可能な施術用テープ１において、表皮を被覆する被覆部２と、被覆部２の一の面に接着材料が塗布されてなる接着部とを備え、被覆部２は、複数の孔３を有し、表皮の一部を開放するよう構成される。【選択図】図１
0003227471.tif 000002
【実用新案登録請求の範囲】
【請求項１】
人体の表皮に貼付可能な施術用テープであって、
前記表皮を被覆する被覆部と、
前記被覆部の一の面に接着材料が塗布されてなる接着部と、
を備え、
前記被覆部は、複数の貫通孔を有し、前記表皮の一部を開放する施術用テープ。
【請求項２】
前記貫通孔は、正面視略同一の形状に構成される請求項１に記載の施術用テープ。
【請求項３】
前記貫通孔は、正面視六角形状に構成される請求項１又は２に記載の施術用テープ。
【請求項４】
人体の表皮に貼付可能な施術用テープであって、
前記表皮を被覆する被覆部と、
前記被覆部の一の面に接着材料が塗布されてなる接着部と、
前記接着部を閉塞するシール部と、
を備え、
前記シール部は、
複数の貫通孔の正面視形状を表すカット線をさらに備える施術用テープ。
【請求項５】
前記カット線により表される前記貫通孔は、正面視略同一の形状に構成される請求項４に記載の施術用テープ。
【請求項６】
前記カット線により表される前記貫通孔は、正面視六角形状に構成される請求項４又は５に記載の施術用テープ。
【考案の詳細な説明】
【技術分野】
【０００１】
本考案は、施術用テープに関する。
【背景技術】
【０００２】
従来、身体の各部に巻回させることにより、身体の各部に対応する経穴（ツボ）に作用する治療用テープが提供されている（例えば、特許文献１）。
【先行技術文献】
【特許文献】
【０００３】
【特許文献１】実用新案登録第３１１３８０５号公報
【考案の概要】
【考案が解決しようとする課題】
【０００４】
上記特許文献１において開示される治療用テープによると、身体に螺旋状に巻回される。そのため、皮膚表面がテープにより被覆されるため、皮膚呼吸を妨げるという問題点がある。
【０００５】
そこで、本考案は、上記従来の問題点を解決するべく、皮膚表面に貼付した場合に皮膚呼吸を良好に行うことが可能な施術用テープを提供することを目的とする。
【課題を解決するための手段】
【０００６】
上記目的を達成するため、本考案は、人体の表皮に貼付可能な施術用テープであって、前記表皮を被覆する被覆部と、前記被覆部の一の面に接着材料が塗布されてなる接着部とを備え、前記被覆部は、複数の貫通孔を有し、前記表皮の一部を開放するよう構成される。
【考案の効果】
【０００７】
本考案によると、表皮に貼付された場合において表皮の一部が開放されるため、皮膚呼吸を良好に行うことが可能となる。
【図面の簡単な説明】
【０００８】
【図１】本考案の実施形態における施術用テープの構成の一例を示す図である。
【図２】本考案の実施形態における施術用テープの構成の一例を示す断面図である。
【図３】本考案の実施形態における施術用テープの使用態様の一例を示す図である。
【図４】本考案の実施形態における施術用テープの構成の一例を示す図である。
【考案を実施するための形態】
【０００９】
本考案者は、施術用テープについて鋭意検討した結果、以下の知見を有するに至った。
【００１０】
本考案の一態様である施術用テープは、人体の表皮に貼付可能な施術用テープであって、前記表皮を被覆する被覆部と、前記被覆部の一の面に接着材料が塗布されてなる接着部とを備え、前記被覆部は、複数の貫通孔を有し、前記表皮の一部を開放するよう構成される。
【００１１】
このような構成により、患部を良好に保護するとともに、貫通孔を通して表皮による皮膚呼吸を良好に行わせることが可能となる。
【００１２】
本考案の一態様である施術用テープにおいて、前記貫通孔は、正面視略同一の形状に構成されてもよい。
【００１３】
このような構成により、偏りなく表皮を開放することができるため、皮膚呼吸を良好に行わせることが可能となる。
【００１４】
本考案の一態様である施術用テープにおいて、前記貫通孔は、正面視六角形状に構成されてもよい。
【００１５】
このような構成により、皮膚細胞の形状に対応して表皮を被覆することが可能となる。
【００１６】
本考案の一態様である施術用テープにおいて、前記被覆部は網目状に構成されてもよい。
【００１７】
このような構成により、網目状の被覆部が皮膚表面の凹凸に応じて良好に皮膚表面に接着することが可能となる。
【００１８】
本考案の一態様である施術用テープは、人体の表皮に貼付可能な施術用テープであって、前記表皮を被覆する被覆部と、前記被覆部の一の面に接着材料が塗布されてなる接着部と、前記接着部を閉塞するシール部とを備え、前記シール部は、複数の貫通孔の正面視形状を表すカット線をさらに備える構成である。
【００１９】
このような構成により、ユーザーはカット線に沿って当該施術用テープをカットすることにより、貫通孔を形成することができ、これにより、表皮に貼付する際に皮膚呼吸を良好に行わせることが可能となる。
【００２０】
本考案の一態様である施術用テープにおいて、前記カット線により表される前記貫通孔は、正面視略同一の形状に構成されてもよい。
【００２１】
このような構成により、偏りなく表皮を開放することができるため、皮膚呼吸を良好に行わせることが可能となる。
【００２２】
本考案の一態様である施術用テープにおいて、前記カット線により表される前記貫通孔は、正面視六角形状に構成されてもよい。
【００２３】
このような構成により、皮膚細胞の形状に対応して表皮を被覆することが可能となる。
【００２４】
（実施形態）
以下、本考案の実施形態の一例を、図面に基づいて詳細に説明する。なお、同一の構成部材に対しては同一の符号を付し、これに関する重複する説明を省略する。
【００２５】
図１は、本実施形態における施術用テープ１の構成の一例を示す図である。施術用テープ１は、表皮を被覆する被覆部２と、被覆部２の背面に接する接着部４とを備える。
【００２６】
被覆部２は、後述するように被覆部２の背面側に接着材料を塗布されてなる接着部４と接する。接着部４がユーザーの表皮に接すると、被覆部２は表皮外面を被覆する。
【００２７】
被覆部２は、樹脂により形成されてもよいし、不織布等の布により形成されてもよい。被覆部２は、一例として、幅方向に２．５センチメートル、３．７５センチメートル、５センチメートル、或いは７．５センチメートルの長さを有する。これらに限られず、被覆部２は幅方向に所望の長さを備えてもよい。
【００２８】
被覆部２は、孔３をさらに備える。本実施形態における施術用テープ１における孔３は、被覆部２および接着部４を貫通する貫通孔である。孔３は、正面視矩形状、弧状など所望の形状に構成されてもよい。被覆部２が孔３を備えることにより、表皮外面を開放する箇所を設け、表皮による皮膚呼吸を良好に行わせることが可能となるのである。
【００２９】
好ましくは、孔３は、五角形以上の角数を有する多角形状に構成される。図示の例では、孔３は正面視六角形状に形成される。このように孔３が五角形以上の角数の多角形に構成されることにより、四角形に構成される場合と比べて、相反する方向への引張り力に対する耐久性が高まる。
【００３０】
被覆部２は、複数の孔３を備える。好ましくは、これら複数の孔３は、略同一の形状に構成される。図示の例では、孔３は、複数形成され、各々六角形の略同一形状に構成される。このように、略同一の形状に構成されることにより、施術用テープ１が貼付される範囲内において、偏りなく表皮外面を開放することが可能となる。
【００３１】
被覆部２において、複数の孔３は、所定間隔毎に配置されてもよい。より好ましくは、複数の孔３は、各々の中心同士の距離が略同一に構成されてもよい。複数の孔３が被覆部２内において偏りなく形成されることから、表皮による皮膚呼吸を良好に行わせることが可能となる。
【００３２】
孔３の幅方向における長さは、被覆部２の幅方向における長さの２分の１以上の長さに構成されてもよい。これにより、表皮外面の開放箇所を良好に確保することが可能となる。好ましくは、孔３の幅方向における長さは、被覆部２の幅方向における長さの３分の２以下に構成される。これにより、表皮外面を良好に開放するとともに、施術用テープ１の強度を保持することが可能となる。
【００３３】
複数の孔３を備える被覆部２は、網目状に構成されてもよい。すなわち、孔３同士の距離を短くすることにより、被覆部２は細い網目状になる。このように、被覆部２における孔３同士の間を狭くすることにより、表皮における凹凸に応じて、細くなった被覆部２が良好に表皮に接着することが可能となる。
【００３４】
図２は、本実施形態における施術用テープ１の構成の一例を示す断面図である。施術用テープ１は、被覆部２と、被覆部２の背面に接着材料を塗布してなる接着部４とを備える。接着部４を構成する接着材料は、公知の接着材料が適宜用いられる。
【００３５】
施術用テープ１は、接着部４を閉塞するシール部５をさらに備える。シール部５は、接着部４に対して剥離可能に付着し、シール部５を閉塞して空気に触れるのを防止する。ユーザーに使用される前において、シール部５は接着部４を閉塞する。
【００３６】
ユーザーが施術用テープ１を使用する際に、シール部５は接着部４から剥離される。接着部４が表皮に接することにより、表皮を被覆することができる。
【００３７】
孔３は、図２において示されていないが、被覆部２、接着部４およびシール部５を貫通する。これにより、施術用テープ１が表皮に貼付される場合に、表皮外面を開放し、表皮による皮膚呼吸を良好に行わせる。
【００３８】
図３は、本実施形態における施術用テープ１の使用態様の一例を示す図である。施術用テープ１は、人体表皮上に貼付可能である。人体表皮に貼付する場合に、接着部４を表皮に接着させる。接着部４が剥離可能に表皮に接着することにより、被覆部２が表皮を被覆する。
【００３９】
被覆部２は、弾性を有する材料により構成されてもよい。この場合、被覆部２は、施術用テープ１を貼付する部位の形状に応じて変形可能である。被覆部２は、施術用テープ１が貼付されている状態での部位の動作に対応して伸縮可能である。施術用テープ１を貼付されている部位において、孔３により表皮が開放される。
【００４０】
施術用テープ１は、これを貼付する部位の形状や患部の長さに応じて切断することにより、所望の長さに調整可能である。複数の孔３は略同一形状に構成されることから、切断する箇所により孔３の形状が大きく相違することはないため、表皮を良好に開放可能である。
【００４１】
さらに、複数の孔３が被覆部２において所定間隔毎に配置される場合、切断する箇所により孔３の数や表皮が開放される面積が大きく相違することはなく、表皮を良好に開放可能である。
【００４２】
図４は、本実施形態における施術用テープ１の構成の一例を示す図である。図示の例は、孔３が形成される前の状態の施術用テープ１の一例であり、施術用テープ１をシール部５の側面から見た場合の正面図である。
【００４３】
シール部５は、孔３の形状に対応するカット線７を備える。カット線７は、シール部５の表面に視認可能に表示される線である。カット線７は、孔３の形状に対応する態様で表示される。
【００４４】
施術用テープ１は、カット線７に沿って切り取られることにより、被覆部２に孔３を形成することができる。カット線７は、ミシン目など切れ込みを有してもよい。カット線７は、レーザーにより切り取られてもよいし、ユーザーが鋏などにより切り取ってもよい。
【００４５】
カット線７により表される孔３の正面視形状は、略同一の形状に構成されてもよい。このように、カット線７により表される孔３が略同一の形状に構成されることにより、カット線７に沿って切り取られた施術用テープ１は、偏りなく表皮外面を開放することが可能となる。
【００４６】
図示の例において、カット線７により表される孔３は、正面視六角形状に構成される。このように、カット線７により表される孔３が正面視六角形であることにより、皮膚細胞の形状に対応して表皮を被覆することが可能となる。また、孔３の形状が矩形で表される場合に比べて、相反する方向への引張り力に対する耐久性が高まる。
【００４７】
より好ましくは、カット線７により表される複数の孔３は、被覆部２内において各々所定距離毎に配置されてもよい。これにより、カット線７に沿って切り取られた施術用テープ１は、偏りなく表皮外面を開放することが可能となる。
【００４８】
さらに、カット線７により表される複数の孔３の中心同士が所定距離を有するよう構成されてもよい。これにより、孔３を被覆部２内に偏りなく配置することが可能となる。
【００４９】
（変形例）
上記の実施形態において、本考案が適用される施術用テープ１の一例を説明した。しかしながら、本考案は上記実施形態に限定されるものではなく、種々の変形例が適用可能である。
【００５０】
上記実施形態において、孔３およびカット線７により表される孔３の形状が角形である場合を説明したが、これに限られず、孔３およびカット線７により表される孔３の形状は円形状に構成されてもよい。
【００５１】
上記実施形態において、施術用テープ１は所定幅を有する矩形状に構成される場合を説明したが、これに限られず、円形状に構成されてもよい。これにより、点を中心として周辺をテープにより被覆する必要がある場合に、被覆すべき部位を効率的に被覆可能となる。
【００５２】
施術用テープ１は、表皮に貼付される前にカット線７に沿って切り取られてもよいし、表皮に貼付された後にカット線７に沿って切り取られてもよい。また、カット線７により表示される複数の孔３の形状に応じて全てのカット線７に沿って切り取られる必要はなく、ユーザーの選択により、一部のカット線７に沿って切り取られてもよい。
【００５３】
上記実施形態において、孔３は、被覆部２内において所定距離ごとに配置され、或いは各々の中心同士が所定距離を有するよう配置される場合を説明した。しかし、これに限られず、孔３は、被覆部２内において偏在して配置されてもよい。例えば、被覆部２内において、孔３が形成される領域と孔３が形成されていない領域とを設けてもよい。
【００５４】
被覆部２内において孔３を偏在して配置することにより、ユーザーは用途に応じて孔３が配置された領域を使用するか、或いは孔３が配置されない領域を使用するか選択可能となる。
【符号の説明】
【００５５】
１    施術用テープ
２    被覆部
３    孔（貫通孔）
４    接着部
５    シール部
７    カット線
【図１】
0003227471.tif 000003
【図２】
0003227471.tif 000004
【図３】
0003227471.tif 000005
【図４】
0003227471.tif 000006